(57)【特許請求の範囲】
【請求項１】
複数の拠点間で会議を行う会議システムであって、
第１の拠点での会議参加者である複数のユーザが有する複数の端末のいずれかを用いた操作入力であって送信対象ファイルを選択する操作入力、を受け付ける操作入力手段と、
それぞれの拠点に配置され、各拠点で参加するユーザを撮影する撮影手段と、
それぞれの拠点に配置され、他拠点の前記撮影手段による撮影画像を表示する表示装置と、
前記第１の拠点に配置された前記撮影手段による撮影画像に基づいて、前記第１の拠点で参加するユーザの投げる身振りである投擲ジェスチャーおよび投擲の向きを検出する動作検出手段と、
前記投擲ジェスチャーにおける投擲の向きが、第２の拠点に配置された前記撮影手段による前記撮影画像を前記第１の拠点にて表示している前記表示装置に向かう向きでないことを条件として、前記第１の拠点で参加する複数のユーザのうち前記投擲ジェスチャーを行ったユーザ以外のユーザが有する各端末に前記送信対象ファイルを送信する送信動作制御手段と、
を備えることを特徴とする会議システム。
【請求項２】
請求項１に記載の会議システムにおいて、
前記送信動作制御手段は、前記送信対象ファイルの送信に際し、前記第１の拠点に配置された第１のファイルサーバに前記送信対象ファイルが一時的に保存された後、前記第１の拠点で参加する複数のユーザのうち前記投擲ジェスチャーを行ったユーザ以外のユーザが有する各端末に前記送信対象ファイルを送信することを特徴とする会議システム。
【請求項３】
請求項１または請求項２に記載の会議システムにおいて、
それぞれの拠点に配置され、会議資料に関するファイルに基づく画像を表示するスクリーンをさらに備え、
前記送信動作制御手段は、前記投擲ジェスチャーにおける投擲の向きが前記表示装置に向かう向きではなく、さらに前記スクリーンに向かう向きでもないことを条件として、前記第１の拠点で参加する複数のユーザのうち前記投擲ジェスチャーを行ったユーザ以外のユーザが有する各端末に前記送信対象ファイルを送信することを特徴とする会議システム。
【請求項４】
請求項３に記載の会議システムにおいて、
前記送信動作制御手段は、前記投擲ジェスチャーにおける投擲の向きが前記スクリーンに向かう向きであることを条件として、前記スクリーンに前記送信対象ファイルを表示するよう制御することを特徴とする会議システム。
【請求項５】
請求項１ないし請求項４のいずれかに記載の会議システムにおいて、
前記送信動作制御手段は、前記送信対象ファイルの送信に際し、前記第１の拠点に配置された第１のファイルサーバに前記送信対象ファイルが一時的に保存され、且つ前記第２の拠点に配置された第２のファイルサーバが前記第１のファイルサーバから前記送信対象ファイルを取得した後に、前記第２の拠点で参加するユーザが有する各端末に前記送信対象ファイルを送信するように制御することを特徴とする会議システム。
【請求項６】
請求項１ないし請求項５のいずれかに記載の会議システムにおいて、
前記複数のユーザがそれぞれ有する各端末は、１もしくは複数のファイルまたは１もしくは複数のフォルダにそれぞれ対応する１もしくは複数のアイコンを表示可能であり、
前記操作入力手段は、前記１もしくは複数のアイコンのうち選択対象のアイコンを前記ユーザの手指で摘む操作が行われると、前記選択対象のアイコンに対応するファイルを前記送信対象ファイルとして決定することを特徴とする会議システム。
【請求項７】
請求項１ないし請求項６のいずれかに記載の会議システムにおいて、
会議管理装置、
をさらに備え、
前記会議管理装置は、前記動作検出手段および前記送信動作制御手段を有することを特徴とする会議システム。
【請求項８】
複数の拠点間で会議を行う会議システムにおける会議管理装置であって、
第１の拠点での会議参加者であるユーザを撮影した撮影画像に基づいて、前記第１の拠点で参加するユーザの投げる身振りである投擲ジェスチャーおよび投擲の向きを検出する動作検出手段と、
前記投擲ジェスチャーにおける投擲の向きが、第２の拠点に配置された撮影手段による前記第２の拠点での参加ユーザの撮影画像を前記第１の拠点にて表示している表示装置に向かう向きでないことを条件として、前記第１の拠点で参加する複数のユーザのうち前記投擲ジェスチャーを行ったユーザ以外のユーザが有する各端末に送信対象ファイルを送信する送信動作制御手段と、
を備えることを特徴とする会議管理装置。
【請求項９】
複数の拠点間で会議を行う会議システムにおける会議管理方法であって、
ａ）第１の拠点での会議参加者であるユーザを撮影した撮影画像に基づいて、前記第１の拠点で参加するユーザの投げる身振りである投擲ジェスチャーおよび投擲の向きを検出するステップと、
ｂ）前記投擲ジェスチャーにおける投擲の向きが、第２の拠点に配置された撮影手段による前記第２の拠点での参加ユーザの撮影画像を前記第１の拠点にて表示している表示装置に向かう向きでないことを条件として、前記第１の拠点で参加する複数のユーザのうち前記投擲ジェスチャーを行ったユーザ以外のユーザが有する各端末に送信対象ファイルを送信するステップと、
を含むことを特徴とする会議管理方法。
【請求項１０】
ａ）第１の拠点での会議参加者であるユーザを撮影した撮影画像に基づいて、前記第１の拠点で参加するユーザの投げる身振りである投擲ジェスチャーおよび投擲の向きを検出するステップと、
ｂ）前記投擲ジェスチャーにおける投擲の向きが、第２の拠点に配置された撮影手段による前記第２の拠点での参加ユーザの撮影画像を前記第１の拠点にて表示している表示装置に向かう向きでないことを条件として、前記第１の拠点で参加する複数のユーザのうち前記投擲ジェスチャーを行ったユーザ以外のユーザが有する各端末に送信対象ファイルを送信するステップと、
をコンピュータに実行させるためのプログラム。
【発明の詳細な説明】
【技術分野】
【０００１】
本発明は、会議システムおよびそれに関連する技術に関する。
【背景技術】
【０００２】
地理的に離れた拠点間において画像および音声等を相互に授受して会議を行う会議システムが知られている。このような会議システムにおいては、会議中に使用する各種の資料（詳細にはそのデータ）を或る拠点（自拠点）から別の拠点（他拠点）へとネットワーク等を介して送信する技術が存在する。
【０００３】
たとえば、特許文献１には、送信用資料の送信指示が受け付けられると、送信ファイルフォルダに保存してある送信用ファイルが送信元から送信先へと送信される技術が記載されている。具体的には、まず、送信元のユーザは、送信用資料として選択したファイルを送信用ファイルフォルダに保存する。この後、送信元のユーザは、所定の操作画面に表示されている資料（ファイル）名を選択し、送信ボタンをクリックして送信用ファイルフォルダ内に保存してある資料（送信対象ファイル）を送信先に送信する。このような技術によれば、送信元（自拠点）にのみ存在する資料が送信先（他拠点）へと送信されるので、会議システムの拠点間において資料を共有することが可能である。
【先行技術文献】
【特許文献】
【０００４】
【特許文献１】特開２００４−５６５５１号公報
【発明の概要】
【発明が解決しようとする課題】
【０００５】
しかしながら、特許文献１に記載の技術においては、必ずしも使いやすいユーザインタフェースが提供されているとは言い難く、このユーザインタフェースには改善の余地が有る。
【０００６】
そこで、この発明の課題は、より使いやすいユーザインタフェースを提供することが可能な会議システムおよびそれに関連する技術を提供することにある。
【課題を解決するための手段】
【０００７】
上記課題を解決すべく、請求項１の発明は、複数の拠点間で会議を行う会議システムであって、第１の拠点での会議参加者である複数のユーザが有する複数の端末のいずれかを用いた操作入力であって送信対象ファイルを選択する操作入力、を受け付ける操作入力手段と、それぞれの拠点に配置され、各拠点で参加するユーザを撮影する撮影手段と、それぞれの拠点に配置され、他拠点の前記撮影手段による撮影画像を表示する表示装置と、前記第１の拠点に配置された前記撮影手段による撮影画像に基づいて、前記第１の拠点で参加するユーザの投げる身振りである投擲ジェスチャーおよび投擲の向きを検出する動作検出手段と、前記投擲ジェスチャーにおける投擲の向きが、第２の拠点に配置された前記撮影手段による前記撮影画像を前記第１の拠点にて表示している前記表示装置に向かう向きでないことを条件として、前記第１の拠点で参加する複数のユーザのうち前記投擲ジェスチャーを行ったユーザ以外のユーザが有する各端末に前記送信対象ファイルを送信する送信動作制御手段と、を備えることを特徴とする。
【０００８】
請求項２の発明は、請求項１の発明に係る会議システムにおいて、前記送信動作制御手段は、前記送信対象ファイルの送信に際し、前記第１の拠点に配置された第１のファイルサーバに前記送信対象ファイルが一時的に保存された後、前記第１の拠点で参加する複数のユーザのうち前記投擲ジェスチャーを行ったユーザ以外のユーザが有する各端末に前記送信対象ファイルを送信することを特徴とする。
【０００９】
請求項３の発明は、請求項１または請求項２の発明に係る会議システムにおいて、それぞれの拠点に配置され、会議資料に関するファイルに基づく画像を表示するスクリーンをさらに備え、前記送信動作制御手段は、前記投擲ジェスチャーにおける投擲の向きが前記表示装置に向かう向きではなく、さらに前記スクリーンに向かう向きでもないことを条件として、前記第１の拠点で参加する複数のユーザのうち前記投擲ジェスチャーを行ったユーザ以外のユーザが有する各端末に前記送信対象ファイルを送信することを特徴とする。
【００１２】
請求項４の発明は、請求項３の発明に係る会議システムにおいて、前記送信動作制御手段は、前記投擲ジェスチャーにおける投擲の向きが前記スクリーンに向かう向きであることを条件として、前記スクリーンに前記送信対象ファイルを表示するよう制御することを特徴とする。
【００１３】
請求項５の発明は、請求項１ないし請求項４のいずれかの発明に係る会議システムにおいて、前記送信動作制御手段は、前記送信対象ファイルの送信に際し、前記第１の拠点に配置された第１のファイルサーバに前記送信対象ファイルが一時的に保存され、且つ前記第２の拠点に配置された第２のファイルサーバが前記第１のファイルサーバから前記送信対象ファイルを取得した後に、前記第２の拠点で参加するユーザが有する各端末に前記送信対象ファイルを送信するように制御することを特徴とする。
【００１７】
請求項６の発明は、請求項１ないし請求項５のいずれかの発明に係る会議システムにおいて、前記複数のユーザがそれぞれ有する各端末は、１もしくは複数のファイルまたは１もしくは複数のフォルダにそれぞれ対応する１もしくは複数のアイコンを表示可能であり、前記操作入力手段は、前記１もしくは複数のアイコンのうち選択対象のアイコンを前記ユーザの手指で摘む操作が行われると、前記選択対象のアイコンに対応するファイルを前記送信対象ファイルとして決定することを特徴とする。
【００１８】
請求項７の発明は、請求項１ないし請求項６のいずれかの発明に係る会議システムにおいて、会議管理装置、をさらに備え、前記会議管理装置は、前記動作検出手段および前記送信動作制御手段を有することを特徴とする。
【００２０】
請求項８の発明は、複数の拠点間で会議を行う会議システムにおける会議管理装置であって、第１の拠点での会議参加者であるユーザを撮影した撮影画像に基づいて、前記第１の拠点で参加するユーザの投げる身振りである投擲ジェスチャーおよび投擲の向きを検出する動作検出手段と、前記投擲ジェスチャーにおける投擲の向きが、第２の拠点に配置された撮影手段による前記第２の拠点での参加ユーザの撮影画像を前記第１の拠点にて表示している表示装置に向かう向きでないことを条件として、前記第１の拠点で参加する複数のユーザのうち前記投擲ジェスチャーを行ったユーザ以外のユーザが有する各端末に送信対象ファイルを送信する送信動作制御手段と、を備えることを特徴とする。
【００２１】
請求項９の発明は、複数の拠点間で会議を行う会議システムにおける会議管理方法であって、ａ）第１の拠点での会議参加者であるユーザを撮影した撮影画像に基づいて、前記第１の拠点で参加するユーザの投げる身振りである投擲ジェスチャーおよび投擲の向きを検出するステップと、ｂ）前記投擲ジェスチャーにおける投擲の向きが、第２の拠点に配置された撮影手段による前記第２の拠点での参加ユーザの撮影画像を前記第１の拠点にて表示している表示装置に向かう向きでないことを条件として、前記第１の拠点で参加する複数のユーザのうち前記投擲ジェスチャーを行ったユーザ以外のユーザが有する各端末に送信対象ファイルを送信するステップと、を含むことを特徴とする。
【００２２】
請求項１０の発明は、ａ）第１の拠点での会議参加者であるユーザを撮影した撮影画像に基づいて、前記第１の拠点で参加するユーザの投げる身振りである投擲ジェスチャーおよび投擲の向きを検出するステップと、ｂ）前記投擲ジェスチャーにおける投擲の向きが、第２の拠点に配置された撮影手段による前記第２の拠点での参加ユーザの撮影画像を前記第１の拠点にて表示している表示装置に向かう向きでないことを条件として、前記第１の拠点で参加する複数のユーザのうち前記投擲ジェスチャーを行ったユーザ以外のユーザが有する各端末に送信対象ファイルを送信するステップと、をコンピュータに実行させるためのプログラムであることを特徴とする。
【発明の効果】
【００２３】
請求項１ないし請求項１０に記載の発明によれば、撮影手段による撮影画像に基づいてユーザの投げる身振りである投擲ジェスチャーが検出されることを条件として、送信対象ファイルが送信されるので、より使い易いユーザインタフェースを提供することが可能である。また、ユーザは、実空間で投げるという直感的な動作により送信対象ファイルの送信を指示することが可能である。
【００２５】
また、投擲の向きに応じて、送信対象ファイルの送信先が決定されるので、所定の画面に表示される送信先リスト等の中から当該送信先を選択する場合に比べて、ユーザは、より簡易に当該送信先を指示することが可能である。
【００２６】
特に、請求項６に記載の発明によれば、摘む操作が受け付けられたアイコンに対応するファイルが送信対象ファイルとして決定されるので、ユーザは、アイコンを摘んで投げるという一連の動作によって送信対象ファイルの送信を直感的に指示することが可能である。
【図面の簡単な説明】
【００２７】
【図１】会議システムの概要を示すシステム構成図である。
【図２】会議室内の様子を示す概念図である。
【図３】会議管理装置のハードウェア構成を示す図である。
【図４】会議管理装置の機能的構成を示すブロック図である。
【図５】携帯情報端末のハードウェア構成を示す図である。
【図６】携帯情報端末の機能的構成を示すブロック図である。
【図７】携帯情報端末の動作を示すフローチャートである。
【図８】会議管理装置の動作を示すフローチャートである。
【図９】会議管理装置の動作を示すフローチャートである。
【図１０】携帯情報端末の操作パネルに表示される画面を示す図である。
【図１１】携帯情報端末の操作パネルに表示される画面を示す図である。
【図１２】会議室の撮影画像を示す図である。
【図１３】会議室の撮影画像を示す図である。
【図１４】会議室の撮影画像を示す図である。
【図１５】会議室の撮影画像を示す図である。
【図１６】会議室の撮影画像を示す図である。
【図１７】会議室の撮影画像を示す図である。
【発明を実施するための形態】
【００２８】
以下、本発明の実施形態を図面に基づいて説明する。
【００２９】
＜１．システム構成＞
＜１−１．概要＞
図１は、会議システム１００の概要を示すシステム構成図である。この会議システム１００においては、会議参加者による身振り、より具体的には投げる手振り（以下、投擲（とうてき）ジェスチャーとも称する）ＧＴ、が検出されることを条件として、送信対象ファイルが送信される。
【００３０】
この会議システム１００は、２つの会議管理装置１０（１０ａ，１０ｂ）を備えている。
【００３１】
会議管理装置１０ａと会議管理装置１０ｂとは、互いに離れた場所（遠隔地）に配置（遠隔配置）されている。例えば、一方の会議管理装置１０ａは、大阪の会議室ＭＲａに配置され、他方の会議管理装置１０ｂは、東京の会議室ＭＲｂに配置される。
【００３２】
また、この会議システム１００は、複数のカメラ（撮影装置）３０，４０（詳細には、カメラ３０ａ，３０ｂおよびカメラ４０ａ，４０ｂ）とをさらに備えている。
【００３３】
複数のカメラ３０，４０は、会議における動画像（詳細には、会議参加者であるユーザを含む動画像）を撮影する。ここでは、４台のカメラ３０ａ，３０ｂおよびカメラ４０ａ，４０ｂが設けられている。カメラ３０ａ，４０ａはそれぞれ会議室ＭＲａに配置されており、カメラ３０ｂ，４０ｂはそれぞれ会議室ＭＲｂに配置されている。
【００３４】
また、この会議システム１００は、複数の表示出力機器５０，６０（モニタ５０ａ，５０ｂおよびプロジェクタ６０ａ，６０ｂ）をさらに備える。
【００３５】
モニタ５０は、他拠点のカメラ３０により撮影される動画像を表示する。ここでは、２台のモニタ５０ａ，５０ｂが設けられている。モニタ５０ａは、会議室ＭＲａに配置されており、他拠点（会議室ＭＲｂ）のカメラ３０ｂにより撮影される動画像を表示する。一方、モニタ５０ｂは、会議室ＭＲｂに配置されており、他拠点（会議室ＭＲａ）のカメラ３０ａにより撮影される動画像を表示する。
【００３６】
プロジェクタ６０は、ネットワークＮＷを介して送信されてきたファイル（会議資料に関するファイル）に基づく画像をスクリーンＳＣ（図２参照）に投映（表示）する。ここでは、２台のプロジェクタ６０ａ，６０ｂが設けられている。プロジェクタ６０ａは会議室ＭＲａに配置されており、プロジェクタ６０ｂは会議室ＭＲｂに配置されている。
【００３７】
また、この会議システム１００は、複数の携帯情報端末７０（７０ａ〜７０ｄおよび７０ｅ〜７０ｈ）とファイルサーバ８０（８０ａ，８０ｂ）とをさらに備えている。
【００３８】
複数の携帯情報端末７０は、たとえば、携帯型のパーソナルコンピュータ、パーソナルデータアシスタント端末（ＰＤＡ装置）、あるいは携帯電話等の各種の装置として構成される。各携帯情報端末７０（７０ａ〜７０ｄおよび７０ｅ〜７０ｈ）は、複数のユーザ（ＵＡ〜ＵＤおよびＵＥ〜ＵＨ）のそれぞれに対して設けられる。複数の携帯情報端末７０は、それぞれ、表示部（液晶表示部等）７０５（図５）を有している。各携帯情報端末７０は、送信されてきたファイルをその表示部７０５に表示する。
【００３９】
ファイルサーバ８０は、携帯情報端末７０等から送信されてきた送信対象ファイルを一時的に保存する。ファイルサーバ８０ａは会議室ＭＲａに配置されており、ファイルサーバ８０ｂは会議室ＭＲｂに配置されている。
【００４０】
会議管理装置１０と複数のカメラ３０，４０と複数の表示出力機器５０，６０と複数の携帯情報端末７０とファイルサーバ８０とは、互いにネットワークＮＷを介して接続されており、ネットワーク通信を行うことが可能である。ここにおいて、ネットワークＮＷは、ＬＡＮ、ＷＡＮ、インターネットなどによって構成される。各装置のネットワークＮＷへの接続形態は、有線接続であってもよく或いは無線接続であってもよい。
【００４１】
図２は、一方の会議室ＭＲａ内の様子を示す概念図である。以下では、この会議システム１００の構成について図２を参照しながらより詳細に説明する。なお、ここでは、一方の会議室ＭＲａを例示するが、他方の会議室ＭＲｂも一方の会議室ＭＲａと同様の配置を有しているものとする。
【００４２】
図２に示すように、会議室ＭＲａにおいては、４人の会議参加者（ユーザＵＡ〜ＵＤ）が会議に参加している。ユーザＵＡ〜ＵＤは、それぞれ、携帯情報端末７０ａ〜７０ｄを有している。また、会議室ＭＲａには、カメラ３０（３０ａ）、カメラ４０（４０ａ）、モニタ５０（５０ａ）、プロジェクタ６０、およびスクリーンＳＣ等が備えられている。
【００４３】
カメラ３０（３０ａ）は、モニタ５０（５０ａ）の上側中央付近に配置される。このカメラ３０ａは、ユーザＵＡ〜ＵＤを含む一定範囲を斜め上側から撮影する。
【００４４】
カメラ４０（４０ａ）は、会議デスクＤＫの上側（ここでは、天井）に配置される。このカメラ４０ａは、ユーザＵＡ〜ＵＤを含む一定範囲（図１２参照）を真上から撮影する。
【００４５】
モニタ５０（５０ａ）は、ユーザＵＡ，ＵＢから見て右側の位置（ユーザＵＣ，ＵＤから見て左側の位置）に配置される。このモニタ５０ａは、他の会議室ＭＲｂに設けられたカメラ３０ｂにより撮影される他拠点の会議の様子を表示する。
【００４６】
プロジェクタ６０（６０ａ）は、会議デスクＤＫ上に配置される。このプロジェクタ６０ａは、ユーザＵＡ，ＵＢから見て左側の位置（ユーザＵＣ，ＵＤから見て右側の位置）に配置されるスクリーンＳＣに対して各種画像を投映する。
【００４７】
＜１−２．会議管理装置１０＞
図３は、会議管理装置１０（１０ａ，１０ｂ）のハードウェア構成を示す図である。図３に示すように、会議管理装置１０は、ＣＰＵ２、ネットワーク通信部４、および記憶部５（半導体メモリおよびハードディスクドライブ等）を備えて構成される。会議管理装置１０は、そのＣＰＵ２等を用いてプログラムＰＧ１を実行することによって様々な機能を実現する。
【００４８】
図４は、会議管理装置１０の機能的構成を示すブロック図である。図４に示すように、会議管理装置１０は、動作検出部１１、送信先決定部１３、および送信動作制御部１５等を備える。
【００４９】
動作検出部１１は、カメラ４０（４０ａ，４０ｂ）により撮影される動画像（撮影画像）ＭＶ（ＭＶ１，ＭＶ２）に基づいて、会議参加者の所定の動作（投擲ジェスチャーＧＴ）を検出する処理部である。また、動作検出部１１は、動画像ＭＶに基づいて、投擲ジェスチャーＧＴにおける投擲の向きをも検出する。なお、投擲ジェスチャーＧＴの検出動作および投擲ジェスチャーＧＴにおける投擲の向きの検出動作については、後に詳述する。
【００５０】
送信先決定部１３は、投擲ジェスチャーＧＴにおける投擲の向きに応じて、送信対象ファイルの送信先を決定する処理部である。
【００５１】
送信動作制御部１５は、送信対象ファイルの送信動作を制御する処理部である。
【００５２】
＜１−３．携帯情報端末７０＞
図５は、携帯情報端末７０（７０ａ〜７０ｈ）のハードウェア構成を示す図である。
【００５３】
図５に示すように、携帯情報端末７０は、ＣＰＵ７０１、記憶部（半導体メモリ（ＲＡＭ等）およびハードディスクドライブ等）７０２、通信部７０３、表示部７０５、および入力部７０６を備えて構成される。
【００５４】
携帯情報端末７０は、表示部７０５としての機能（表示出力機能）と入力部７０６としての機能（操作入力機能）とを兼ね備えた操作パネル（液晶タッチスクリーン等）ＰＮ（図１０参照）を有している。携帯情報端末７０は、各種の情報を操作パネルＰＮに表示してユーザに提供するとともに、操作パネルＰＮを用いてユーザからの操作入力を受け付けることができる。
【００５５】
また、携帯情報端末７０は、記憶部７０２に会議に関連する各種のファイルＦＬ（ＦＬ１〜ＦＬ８）を記憶する。なお、各種のファイルＦＬとしては、文書ファイルおよび画像ファイル等が例示される。ここでは、ファイルＦＬ１〜ＦＬ４が文書ファイルとして構成され、ファイルＦＬ５〜ＦＬ８が画像ファイルとして構成される場合を例示する。
【００５６】
また、携帯情報端末７０は、ＣＰＵ７０１等を用いてプログラムＰＧ２を実行することによって様々な機能を実現する。ここでは、プログラムＰＧ２は、各種可搬性の記録媒体（ＵＳＢメモリ等）に記録されており、当該記憶媒体を介して携帯情報端末７０にインストールされる。なお、携帯情報端末７０は、各種可搬性の記録媒体（ＵＳＢメモリ等）を読み取る機能を有している。
【００５７】
図６は、プログラムＰＧ２の実行により携帯情報端末７０において実現される処理部を示す機能ブロック図である。
【００５８】
具体的には、携帯情報端末７０は、操作入力部７１と表示制御部７３と送信対象ファイル決定部７４と通知部７５と送信部７７とを備える。操作入力部７１は、ユーザからの操作入力を受け付ける処理部である。表示制御部７３は、操作パネルＰＮにおける表示内容を制御する処理部である。送信対象ファイル決定部７４は、送信対象ファイルを決定する処理部である。通知部７５は、送信対象ファイルの選択通知を通知するとともに、送信対象ファイルに係るファイルパスおよびファイル名等（以下、ファイル情報ＦＩとも称する）を通知する処理部である。送信部７７は、指定された送信先に送信対象ファイルを送信する処理部である。
【００５９】
＜２．動作＞
つぎに、会議システム１００における各種動作について、図７〜図９のフローチャートを参照しながら説明する。図７は、携帯情報端末７０の動作を示すフローチャートである。図８および図９は、会議管理装置１０の動作を示すフローチャートである。
【００６０】
以下では、会議室ＭＲａ内の会議参加者であるユーザＵＡが所定の動作（投擲ジェスチャーＧＴ）を行うことによって、予め選択されていた送信対象ファイルが送信される場合を例示する。なお、説明の都合上、会議室ＭＲａを自拠点（ユーザＵＡの参加拠点）とも称し、他の会議室ＭＲｂを他拠点とも称する。また、会議室ＭＲａ内の会議参加者（ユーザＵＡ〜ＵＤ）を自拠点ユーザとも称し、他の会議室ＭＲｂ内の会議参加者（ユーザＵＥ〜ＵＨ）を他拠点ユーザとも称する。
【００６１】
＜２−１．携帯情報端末７０＞
はじめに、図７のフローチャートを参照しながら携帯情報端末７０（７０ａ）の動作について説明する。
【００６２】
まず、ステップＳ１１においては、携帯情報端末７０ａは、ユーザからの操作入力に応じて所定の認証動作を実行し、会議システム１００にログインする。なお、この時点においては、携帯情報端末７０ａ以外の携帯情報端末７０ｂ〜７０ｄおよび携帯情報端末７０ｅ〜７０ｈは、既に認証動作を経て会議システム１００にログインしているものとする。
【００６３】
ステップＳ１２においては、ユーザからの操作入力に応じて、携帯情報端末７０は、送信対象ファイルを選択するための選択用画面ＧＡ１（図１０参照）を操作パネルＰＮに表示する。たとえば、図１０に示すように、この選択用画面ＧＡ１には、８個のファイルＦＬ１〜ＦＬ８にそれぞれ対応する８個のアイコンＡＣ１〜ＡＣ８が表示される。なお、これに限定されず、例えば、記憶部７０２に１個のファイルＦＬ１が単独で記憶されている場合には、選択用画面ＧＡ１には、ファイルＦＬ１に対応する１個のアイコンＡＣ１が単独で表示されるようにしてもよい。
【００６４】
ステップＳ１３においては、各アイコンＡＣ（ＡＣ１〜ＡＣ８）に対するユーザからの操作入力が受け付けられたか否かが判定される。当該操作入力が受け付けられたと判定されると、ステップＳ１４に進み、それ以外の場合には、ステップＳ１８に進む。
【００６５】
ステップＳ１８においては、送信対象ファイルの選択処理を終了するか否かが判定される。送信対象ファイルの選択処理を終了すると判定されると、選択用画面ＧＡ１が閉じられ送信対象ファイルの選択処理を終了し、それ以外の場合には、ステップＳ１３に戻る。
【００６６】
ステップＳ１４においては、ユーザからの操作入力が「摘む操作」（次述）であるか否かが判定される。当該操作入力が「摘む操作」であると判定されると、ステップＳ１５に進み、それ以外の場合には、ステップＳ１６に進む。
【００６７】
ここで、図１１を参照しながら、アイコンＡＣ１（選択対象のアイコン）に対する「摘む操作」について説明する。まず、ユーザＵＡは、二本の手指によりアイコンＡＣ１の外側（例えば、図１１に示す位置Ｐ１１，Ｐ１２）をタッチする。この後、ユーザＵＡは、二本の手指によるタッチ状態を継続しつつ二本の手指の間隔を徐々に狭める。そして、最終的には、ユーザＵＡは、二本の手指をそれぞれアイコンＡＣ１上（例えば、図１１に示す位置Ｐ２１，Ｐ２２）にまで移動する。このように、ユーザＵＡの手指で摘む操作（以下、単に「摘む操作」とも称する）がアイコンＡＣ１に対して行われると、送信対象ファイル決定部７４は、当該アイコンＡＣ１に対応するファイルＦＬ１を送信対象ファイルとして選択する。
【００６８】
ステップＳ１５においては、携帯情報端末７０は、通知部７５を用いて、上述の「摘む操作」が行われたアイコンに対応するファイルが送信対象ファイルとして選択されたことを会議管理装置１０に通知（以下、選択通知とも称する）する。当該選択通知時において、通知部７５は、送信対象ファイルのファイル情報ＦＩ（次述）をも会議管理装置１０に通知する。ファイル情報ＦＩは、送信対象ファイルのファイル名およびファイルパス等を含む情報である。
【００６９】
他方、ステップＳ１６においては、ユーザからの操作入力が「離す操作」（次述）であるか否かが判定される。当該操作入力が「離す操作」であると判定されると、ステップＳ１７に進み、それ以外の場合には、ステップＳ１８に進む。
【００７０】
ここで、アイコンＡＣ１（選択対象のアイコン）に対する「離す操作」について説明する。まず、ユーザＵＡは、送信対象ファイルとして選択されているファイルＦＬ１に対応するアイコンＡＣ１（例えば、図１１に示す位置Ｐ２１，Ｐ２２）を二本の手指によりタッチする。この後、ユーザＵＡは、二本の手指のタッチ状態を継続しつつ二本の手指の間隔をアイコンＡＣ１の外側に向けて徐々に広げる。そして、最終的には、ユーザＵＡは、二本の手指をそれぞれアイコンＡＣ１の外側（例えば、図１１に示す位置Ｐ１１，Ｐ１２）まで移動する。このように、ユーザＵＡの手指の間隔を拡げる操作（手指を離す操作）（以下、単に「離す操作」とも称する）がアイコンＡＣ１に対して行われると、送信対象ファイル決定部７４は、当該アイコンＡＣ１に対応するファイルＦＬの送信対象ファイルとしての決定を解除する。
【００７１】
ステップＳ１７においては、携帯情報端末７０は、通知部７５を用いて、上述の「離す操作」が行われたアイコンに対応するファイルが送信対象ファイルから解除されたことを会議管理装置１０に通知（以下、解除通知とも称する）する。
【００７２】
＜２−２．会議管理装置１０（１０ａ）＞
つぎに、図８および図９のフローチャートを参照しながら会議管理装置１０（ここでは、１０ａ）の動作について説明する。
【００７３】
まず、ステップＳ３１においては、携帯情報端末７０からの通知（送信対象ファイルの選択通知または解除通知）が受け付けられたか否かが判定される。ここで、携帯情報端末７０からの通知が受け付けられたと判定されると、ステップＳ３２に進む。
【００７４】
ステップＳ３２においては、携帯情報端末７０からの通知が送信対象ファイルの選択通知であるか否かが判定される。携帯情報端末７０からの通知が送信対象ファイルの選択通知であると判定されると、ステップＳ３３に進む。一方、携帯情報端末７０からの通知が送信対象ファイルの選択通知でないと判定されると、当該通知が解除通知であると判定され、ステップＳ３８に進む。
【００７５】
ステップＳ３３においては、会議管理装置１０ａは、送信対象ファイルの選択通知時に受信したファイル情報ＦＩ（ファイルパスおよびファイル名等）を記憶部５に一時的に記憶する。
【００７６】
ステップＳ３４においては、会議管理装置１０ａは、カメラ４０を用いてユーザＵＡ〜ＵＤを含む動画像ＭＶ１（図１２参照）の撮影を開始するとともに、動作検出部１１を用いて所定の動作（投擲ジェスチャーＧＴ）の監視を開始する。
【００７７】
ステップＳ３５においては、選択通知から所定時間（例えば１分間）が経過したか否かが判定される。当該所定時間が経過したと判定されると、ステップＳ３８に進み、それ以外の場合には、ステップＳ３６に進む。
【００７８】
ステップＳ３８においては、会議管理装置１０ａは、記憶部５に一時的に記憶していたファイル情報ＦＩを削除する。
【００７９】
ステップＳ３６においては、会議管理装置１０ａは、動作検出部１１により所定の動作（詳細には、投擲ジェスチャーＧＴ）が検出されたか否かが判定される。投擲ジェスチャーＧＴが検出されたと判定されると、ステップＳ３７に進み、それ以外の場合には、ステップＳ３５に戻る。
【００８０】
ここで、図１２〜図１４を参照しながら投擲ジェスチャーＧＴの検出動作について説明する。なお、ここでは、投擲ジェスチャーＧＴの検出対象が右腕である旨が各ユーザＵＡ〜ＵＤに対して事前に知らされており、各ユーザＵＡ〜ＵＤは、右腕によって投擲ジェスチャーＧＴを行うものとする。また、投擲ジェスチャーＧＴは上述の「摘む操作」によりアイコンＡＣを選択したユーザＵＡによって行われるものとし、会議管理装置１０が当該ユーザＵＡの右腕による投擲ジェスチャーＧＴを検出するものとする。
【００８１】
はじめに、カメラ４０ａによる動画像ＭＶ１（図１２参照）の撮影が開始すると（ステップＳ３４）、動作検出部１１は、当該動画像ＭＶ１に基づいて、各ユーザＵＡ〜ＵＤの頭部ＨＡ〜ＨＤを検出する（図１３参照）。
【００８２】
頭部ＨＡ〜ＨＤが検出されると、動作検出部１１は、当該頭部ＨＡ〜ＨＤの略中心から右側に所定距離（実空間距離に換算して例えば２０ｃｍ（センチメートル）程度）離れた位置ＲＡ〜ＲＤ（図１３参照）をそれぞれユーザＵＡ〜ＵＤの右肩の位置として検出する。そして、動作検出部１１は、位置ＲＡ〜ＲＤの周辺領域ＴＡ〜ＴＤ（図１４参照）をモニタリングする。周辺領域ＴＡ〜ＴＤは、位置ＲＡ〜ＲＤをそれぞれ中心とし、実空間距離に換算して例えば７０ｃｍ（センチメートル）程度を半径とする円の領域である。
【００８３】
動画像ＭＶ１のモニタリング中において、各位置ＲＡ〜ＲＤ（例えば位置ＲＡ）付近から一方向に伸長する部分ＰＴ（図１５参照）が所定時間（例えば１秒間）内に検出されると、当該部分ＰＴの伸長方向の長さが所定値（例えば実空間距離に換算して例えば５０ｃｍ（センチメートル））以上であるか否かが判定される。ここで、当該部分ＰＴの伸長方向の長さが所定値以上である場合に、動作検出部１１は、投擲ジェスチャーＧＴが行われたと判定する。そして、処理はステップＳ３７に進む。
【００８４】
ステップＳ３７においては、会議管理装置１０ａは、送信対象ファイルの送信処理を実行する。具体的には、会議管理装置１０ａは、図９のフローチャートの処理を実行する。
【００８５】
つぎに、図９のフローチャートを参照しながら、送信対象ファイルの送信処理について説明する。
【００８６】
まず、ステップＳ７０においては、送信動作制御部１５は、記憶部５に一時的に記憶されているファイル情報ＦＩ（ファイルパスおよびファイル名等）に基づいて送信対象ファイルを特定する。
【００８７】
ステップＳ７１においては、会議管理装置１０ａは、動作検出部１１を用いて、投擲ジェスチャーＧＴにおける投擲の向きを検出する。具体的には、動作検出部１１は、部分ＰＴの伸長開始位置ＲＡ（ユーザＵＡの右肩の位置ＲＡ）と部分ＴＰが最も伸長したときの当該部分ＴＰの先端位置ＳＴとに基づいて、投擲ジェスチャーＧＴにおける投擲の向きＧＤを検出する（図１５参照）。たとえば、動作検出部１１は、伸長開始位置ＲＡから先端位置ＳＴに向かうベクトルの向きを投擲の向きＧＤとして検出する。
【００８８】
ステップＳ７２においては、投擲ジェスチャーＧＴにおける投擲の向きＧＤが向きＤＣであるか否かが判定される。向きＤＣは、ユーザＵＡの所在位置から、モニタ５０ａ（詳細には、モニタ５０ａによる出力画像の表示面）の所在位置へと向かう向きである。
【００８９】
投擲の向きＧＤが向きＤＣであるか否かの判定においては、後述の判定用の向きＪＤ１が用いられる。具体的には、投擲の向きＧＤと判定用の向きＪＤ１との差が所定値未満である場合には、投擲の向きＧＤは向きＤＣであると判定される。一方、投擲の向きＧＤと判定用の向きＪＤ１との差が所定値以上である場合には、投擲の向きＧＤは向きＤＣではないと判定される。なお、判定用の向きＪＤ１（ＪＤ１ａ〜ＪＤ１ｄ）は、各ユーザＵＡ〜ＵＤにより事前（会議開始前）に実施される投擲ジェスチャーＧＴにより検出される。具体的には、図１６に示すように、各ユーザＵＡ〜ＵＤがモニタ５０に向けて一斉に投擲ジェスチャーＧＴを行う。この投擲ジェスチャーＧＴをカメラ４０ａによる動画像ＭＶ１２に基づいて、会議管理装置１０ａは、ユーザＵＡ〜ＵＤごとに判定用の向きＪＤ１ａ〜ＪＤ１ｄを算出する。
【００９０】
このような判定において、投擲の向きＧＤが向きＤＣであると判定されると、送信先決定部１３は、送信対象ファイルの送信先を他拠点ユーザＵＥ〜ＵＨの携帯情報端末７０ｅ〜７０ｈに決定する。このように、送信先決定部１３は、投擲ジェスチャーＧＴにおける投擲の向きＧＤが向きＤＣであることを条件として、他拠点（会議室ＭＲｂ）の会議参加者である他拠点ユーザＵＥ〜ＵＨの携帯情報端末７０ｅ〜７０ｈを送信先として決定する。そして、処理はステップＳ７３に進む。一方、当該投擲の向きＧＤが向きＤＣでないと判定されると、処理はステップＳ７５に進む。
【００９１】
ステップＳ７３においては、送信動作制御部１５は、携帯情報端末７０に対して送信対象ファイルのファイルサーバ８０ａへの送信要求を行う。携帯情報端末７０は、会議管理装置１０ａからの送信要求に応じて、送信対象ファイルをファイルサーバ８０ａに送信する。
【００９２】
ステップＳ７４においては、送信動作制御部１５は、今度は他拠点の会議管理装置１０ｂに対して、ファイルサーバ８０ａ内に格納されている送信対象ファイルを他拠点ユーザＵＥ〜ＵＨへ送信すべき旨の送信要求を行う。他拠点の会議管理装置１０ｂは、会議管理装置１０ａからの送信要求に応じて、ファイルサーバ８０ａにアクセスして送信対象ファイルを取得し、他拠点ユーザＵＥ〜ＵＨの携帯情報端末７０ｅ〜７０ｈに当該送信対象ファイルを送信する。
【００９３】
このように、会議管理装置１０ａの送信動作制御部１５は、他拠点の会議管理装置１０ｂ等を用いて、送信対象ファイルを他拠点ユーザＵＥ〜ＵＨの携帯情報端末７０ｅ〜７０ｈに送信する。
【００９４】
ステップＳ７５においては、投擲ジェスチャーＧＴにおける投擲の向きが向きＤＢであるか否かが判定される。向きＤＢは、ユーザＵＡの所在位置から、スクリーンＳＣ（プロジェクタ６０による出力画像の表示面）の所在位置へと向かう向きである。
【００９５】
投擲の向きＧＤが向きＤＢであるか否かの判定においては、後述の判定用の向きＪＤ２が用いられる。具体的には、投擲の向きＧＤと判定用の向きＪＤ２との差が所定値未満である場合には、投擲の向きＧＤはモニタ５０の所在位置へと向かう向き（すなわち向きＤＢ）であると判定される。一方、投擲の向きＧＤと判定用の向きＪＤ２との差が所定値以上である場合には、投擲の向きＧＤは向きＤＢではないと判定される。なお、判定用の向きＪＤ２（ＪＤ２ａ〜ＪＤ２ｄ）は、事前（会議開始前）に実施される投擲ジェスチャーＧＴにより検出される。具体的には、図１７に示すように、各ユーザＵＡ〜ＵＤがスクリーンＳＣに向けて一斉に投擲ジェスチャーＧＴを行う。この投擲ジェスチャーＧＴをカメラ４０ａによる動画像ＭＶ１２に基づいて、会議管理装置１０ａは、ユーザＵＡ〜ＵＤごとに判定用の向きＪＤ２ａ〜ＪＤ２ｄを算出する。
【００９６】
このような判定において、投擲の向きＧＤが向きＤＢであると判定されると、送信先決定部１３は、送信対象ファイルの送信先をプロジェクタ６０ａに決定する。このように、送信先決定部１３は、投擲ジェスチャーＧＴにおける投擲の向きＧＤが向きＤＢであることを条件として、プロジェクタ６０ａを送信先として決定する。そして、処理はステップＳ７６に進む。一方、当該投擲の向きＧＤが向きＤＢでないと判定されると、処理はステップＳ７７に進む。
【００９７】
ステップＳ７６においては、送信動作制御部１５は、携帯情報端末７０に対して送信対象ファイルのプロジェクタ６０ａへの送信要求を行う。携帯情報端末７０は、会議管理装置１０ａからの送信要求に応じて、送信対象ファイルをプロジェクタ６０ａに送信する。そして、プロジェクタ６０は、携帯情報端末７０から受信した送信対象ファイルに基づく出力画像（表示画像）をスクリーンＳＣに投映して表示する。
【００９８】
このように、会議管理装置１０ａは、送信動作制御部１５を用いて、送信対象ファイルをプロジェクタ６０ａに送信する。
【００９９】
ステップＳ７７においては、送信先決定部１３は、ユーザＵＡを除く自拠点における会議参加者（ユーザＵＢ〜ユーザＵＤ）の端末７０ｂ〜７０ｄを送信対象ファイルの送信先として決定する。この実施形態では、投擲の向きＧＤは、３つの向きＤＡ，ＤＢ，ＤＣのいずれかであることを前提としている。投擲の向きＧＤが向きＤＣでもなく且つ向きＤＢでもない場合には、投擲の向きＧＤは、当該投擲の向きＧＤは自拠点における複数の参加者（ユーザＵＡ〜ＵＤ）のうちのいずれかの所在位置へと向かう向きＤＡとして扱われる。送信先決定部１３は、投擲の向きＧＤが向きＤＡである（詳細には、向きＤＡとして扱われる）ことを条件として、ユーザＵＡを除く自拠点における会議参加者（ユーザＵＢ〜ユーザＵＤ）の全ての端末７０ｂ〜７０ｄを送信対象ファイルの送信先として決定する。
【０１００】
ステップＳ７８においては、送信動作制御部１５は、送信対象ファイルのファイルサーバ８０ａへの送信要求を携帯情報端末７０に対して行う。携帯情報端末７０は、会議管理装置１０ａからの送信要求に応じて、送信対象ファイルをファイルサーバ８０ａに送信する。
【０１０１】
ステップＳ７９においては、送信動作制御部１５は、投擲ジェスチャーＧＴを行ったユーザＵＡ以外の自拠点ユーザである他の自拠点ユーザＵＢ〜ＵＤの携帯情報端末７０ｂ〜７０ｄに向けてファイルサーバ８０ａ内の送信対象ファイルを送信する。
【０１０２】
このように、会議管理装置１０ａは、送信動作制御部１５を用いて、送信対象ファイルを他の自拠点ユーザＵＢ〜ＵＤに送信する。
【０１０３】
以上の動作によれば、カメラ４０ａによる動画像ＭＶ１に基づいてユーザＵＡの投擲ジェスチャーＧＴが検出されることを条件として、送信対象ファイルが送信される。そのため、より使い易いユーザインタフェースを提供することが可能である。また、ユーザＵＡは、実空間で投げるという直感的な動作により送信対象ファイルの送信を指示することが可能である。
【０１０４】
また、投擲ジェスチャーＧＴにおける投擲の向きに応じて、送信対象ファイルの送信先が決定されるので、所定の画面に表示される送信先リスト等の中から当該送信先を決定する場合に比べて、ユーザは、より簡易に当該送信先を指示することが可能である。
【０１０５】
また、摘む操作が受け付けられたアイコンＡＣに対応するファイルが送信対象ファイルとして決定されるので、ユーザは、アイコンＡＣを摘んで投げるという一連の動作によって送信対象ファイルの送信を直感的に指示することが可能である。
【０１０６】
また、投擲ジェスチャーＧＴにおける投擲の向きが向きＤＣ（ユーザＵＡの所在位置からモニタ５０ａの所在位置へと向かう向き）であることを条件として、他拠点（会議室ＭＲｂ）の会議参加者である他拠点ユーザＵＥ〜ＵＨの携帯情報端末７０ｅ〜７０ｈが送信対象ファイルの送信先として決定される。したがって、ユーザは、他拠点（会議室ＭＲｂ）の様子が映し出されたモニタ５０ａに向かって投擲ジェスチャーＧＴを行うことによって、他拠点ユーザＵＥ〜ＵＨの携帯情報端末７０ｅ〜７０ｈを送信対象ファイルの送信先として決定することが可能である。そのため、ユーザは、向きＤＣへの投擲ジェスチャーＧＴにより送信対象ファイルの送信先が他拠点ユーザＵＥ〜ＵＨの携帯情報端末７０ｅ〜７０ｈに決定されることを直感的に認識することが可能である。
【０１０７】
また、投擲ジェスチャーＧＴにおける投擲の向きが向きＤＢ（ユーザＵＡの所在位置からスクリーンＳＣの所在位置へと向かう向き）であることを条件として、プロジェクタ６０ａが送信対象ファイルの送信先として決定される。したがって、ユーザは、会議資料に関するファイルに基づく画像が投映されているスクリーンＳＣに向かって投擲ジェスチャーＧＴを行うことによって、プロジェクタ６０ａを送信対象ファイルの送信先として決定することが可能である。そのため、ユーザは、向きＤＢへの投擲ジェスチャーＧＴにより送信対象ファイルの送信先がプロジェクタ６０ａに決定されることを直感的に認識することが可能である。
【０１０８】
また、投擲ジェスチャーＧＴにおける投擲の向きＧＤが向きＤＡである（詳細には、向きＤＡとして扱われる）ことを条件として、ユーザＵＡを除く自拠点における会議参加者（ユーザＵＢ〜ユーザＵＤ）の全ての端末７０ｂ〜７０ｄが送信対象ファイルの送信先として決定される。したがって、ユーザＵＡは、自拠点における複数の参加者のいずれか（ここでは、ユーザＵＢ〜ＵＤ）に向かって投擲ジェスチャーＧＴを行うことによって、ユーザＵＢ〜ＵＤの携帯情報端末７０ｂ〜７０ｄを送信対象ファイルの送信先として決定することが可能である。そのため、ユーザは、向きＤＡへの投擲ジェスチャーＧＴにより送信対象ファイルの送信先がユーザＵＢ〜ＵＤの携帯情報端末７０ｂ〜７０ｄに決定されることを直感的に認識することが可能である。
【０１０９】
＜３．変形例等＞
以上、この発明の実施の形態について説明したが、この発明は上記説明した内容のものに限定されるものではない。
【０１１０】
たとえば、上記実施形態においては、各アイコンＡＣ１〜ＡＣ８が「摘む操作」（図１１参照）により選択される場合を例示したが、これに限定されず、その他の操作（例えば、タップ操作）により選択されるようにしてもよい。
【０１１１】
また、上記実施形態においては、携帯情報端末７０が表示部７０５として機能と入力部７０６として機能とを兼ね備えた操作パネルＰＮを有する場合を例示したが、これに限定されず、携帯情報端末７０が表示部７０５の機能を有する液晶ディスプレイと入力部７０６としての機能を有するキーボードおよびマウスとを個別に備えるようにしてもよい。
【０１１２】
また、上記実施形態においては、カメラ３０，４０およびプロジェクタ６０は、ネットワークＮＷを介して会議管理装置１０に接続されている場合が示されているが、これに限定されず、会議管理装置１０に直接的に接続されるようにしてもよい。この場合、会議管理装置１０の映像信号入力部（詳細には外部入力端子）等を介して、撮影画像（映像信号等）が会議管理装置１０に入力されるようにすればよい。
【０１１３】
なお、プロジェクタ６０ａが会議管理装置１０ａに直接的に接続される場合には、送信動作制御部１５は、携帯情報端末７０ａを用いて、送信ファイルをプロジェクタ６０ａに送信することなく、当該プロジェクタ６０ａでの表示出力を制御する会議管理装置１０ａに送信するようにすればよい。そして、会議管理装置１０ａは、送信対象ファイルに基づく出力画像データをプロジェクタ６０ａに送信するようにすればよい。
【０１１４】
また、上記実施形態においては、図９のステップＳ７７において、ユーザＵＡを除く自拠点における自拠点の会議参加者（ユーザＵＢ〜ＵＤ）の端末７０ｂ〜７０ｄが送信対象ファイルの送信先として決定される場合を例示したが、これに限定されない。例えば、ユーザＵＡを含む全会議参加者（ユーザＵＡ〜ＵＤ）の端末７０ａ〜７０ｄが送信対象ファイルの送信先として決定されるようにしてもよい。なお、自拠点の会議参加者が例えば２名（例えばユーザＵＡ，ＵＢ）である場合においても同様に、ユーザＵＡの携帯情報端末７０ａとユーザＵＢの携帯情報端末７０ｂとの両端末が送信対象ファイルの送信先として決定されるようにしてもよい。あるいは、逆に、ユーザＵＡを除く自拠点の会議参加者（ユーザＵＢ）の携帯情報端末７０ｂが単独で送信対象ファイルの送信先として決定されるようにしてもよい。
【０１１５】
また、上記実施形態においては、他拠点（会議室ＭＲｂ）における会議の様子が自拠点（会議室ＭＲａ）のモニタ５０ａに表示され、会議資料に関するファイルに基づく画像が自拠点のプロジェクタ６０ａによりスクリーンＳＣに投映される場合を例示したが、これに限定されない。たとえば、逆に、他拠点（会議室ＭＲｂ）における会議の様子が自拠点（会議室ＭＲａ）のプロジェクタ６０ａによりスクリーンＳＣに投映され、会議資料に関するファイルに基づく画像が自拠点のモニタ５０ａに表示されるようにしてもよい。
【０１１６】
この場合、送信先決定部１３は、投擲ジェスチャーＧＴにおける投擲の向きが向きＤＣであることを条件として、モニタ５０ａを送信先として決定するようにすればよい。また、送信先決定部１３は、投擲ジェスチャーＧＴにおける投擲の向きが向きＤＢであることを条件として、他拠点（会議室ＭＲｂ）の会議参加者である他拠点ユーザＵＥ〜ＵＨの携帯情報端末７０ｅ〜７０ｈを送信先として決定するようにすればよい。
【０１１７】
また、上記実施形態においては、投擲ジェスチャーＧＴにおける投擲の向きが向きＤＣであることを条件として、他拠点（会議室ＭＲｂ）の会議参加者である他拠点ユーザＵＥ〜ＵＨの携帯情報端末７０ｅ〜７０ｈが送信先として決定される場合を例示したが、これに限定されない。例えば、投擲ジェスチャーＧＴにおける投擲の向きが向きＤＣであることを条件として、他拠点のプロジェクタ６０ｂが送信先として決定されるようにしてもよい。これによれば、自拠点の各ユーザＵＡ〜ＵＤは、投擲ジェスチャーＧＴを行うことによって、プロジェクタ６０ｂを用いて他拠点のスクリーンに送信対象ファイルに関する画像を投映させることが可能である。
【０１１８】
また、上記実施形態においては、８個のファイルＦＬ１〜ＦＬ８にそれぞれ対応する８個のアイコンＡＣ１〜ＡＣ８が操作パネルＰＮに表示される場合を例示したが、これに限定されず、１又は複数のファイルを有するフォルダＦＤ（例えばＦＤ１〜ＦＤ４）にそれぞれ対応するアイコンＡＦ（例えばＡＦ１〜ＡＦ４）が表示されるようにしてもよい。この場合、仮にＡＦ１に対する摘む操作が受け付けられると、送信対象ファイル決定部７４は、当該アイコンＡＦ１に対応するフォルダＦＤ１内の全ファイルを送信対象ファイルとして決定するようにすればよい。
【符号の説明】
【０１１９】
ＡＣ１〜ＡＣ８  アイコン
ＦＩ  ファイル情報
ＧＡ１  選択用画面
ＧＤ  投擲の向き
ＧＴ  投擲ジェスチャー
ＪＤ１ａ〜ＪＤ１ｄ，ＪＤ２ａ〜ＪＤ２ｄ  判定用の向き
ＨＡ〜ＨＤ  頭部
ＰＴ  部分
ＳＣ  スクリーン
ＴＡ〜ＴＤ  周辺領域
【図１】
0005408188.tif 000002
【図２】
0005408188.tif 000003
【図３】
0005408188.tif 000004
【図４】
0005408188.tif 000005
【図５】
0005408188.tif 000006
【図６】
0005408188.tif 000007
【図７】
0005408188.tif 000008
【図８】
0005408188.tif 000009
【図９】
0005408188.tif 000010
【図１０】
0005408188.tif 000011
【図１１】
0005408188.tif 000012
【図１２】
0005408188.tif 000013
【図１３】
0005408188.tif 000014
【図１４】
0005408188.tif 000015
【図１５】
0005408188.tif 000016
【図１６】
0005408188.tif 000017
【図１７】
0005408188.tif 000018